(57)【要約】【課題】洗濯兼脱水槽に循環水路を設けた洗濯機において、洗剤を溶かすために洗い工程の前に行う洗剤溶解工程を省略するとともに、濃度の高い洗濯液を洗濯物全体に注いで、洗浄性能を向上する。【解決手段】中央底部にパルセータ２を回転自在に配設した洗濯兼脱水槽１の内面に、洗濯兼脱水槽１と循環水路カバー１３で循環水路１４を形成し、循環水路カバー１３の途中に洗剤投入用カバー１５を開閉自在に設け、洗剤投入用カバーから投じられた洗剤が洗濯兼脱水槽の外側に流れ出るように洗濯兼脱水槽側面には開口部を備え、前記洗剤投入用カバーは、タンクの接合部を隠すために開口部を分割して構成する。【選択図】図３
2013240408.tif 000002
【特許請求の範囲】
【請求項１】
中央底部にパルセータを回転自在に配設し、側面に開口部を有する洗濯兼脱水槽と、
前記洗濯兼脱水槽を収容する水受け槽と、
前記洗濯兼脱水槽の内面に洗濯兼脱水槽および循環水路カバーにより形成された循環水路と、
前記循環水路に開閉自在に設けられた洗剤投入部とを備え、
前記開口部は、前記洗濯兼脱水槽の接合部を避けた位置に複数構成された洗濯機。
【請求項２】
前記開口部の端面には、リブが設けられた請求項１に記載の洗濯機。
【請求項３】
前記洗剤投入部は着脱自在に構成され、前記洗剤投入部を前記循環水路に装着するときに、誤挿入を防止する干渉部を循環水路に設けた請求項１または２に記載の洗濯機。
【発明の詳細な説明】
【技術分野】
【０００１】
本発明は、洗濯兼脱水槽に洗剤投入用カバーを設けた洗濯機に関するものである。
【背景技術】
【０００２】
従来、この種の洗濯機は図８に示すような構成が一般的であった。以下、その構成について説明する。
【０００３】
図８は、従来の洗濯機の縦断面図である。図８に示すように、洗濯兼脱水槽２５は、底面にパルセータ２６を回転自在に配設し、水受け槽２７は、洗濯兼脱水槽２５の外側に設けており、モータ２８は、減速機構兼クラッチ３０を介して、洗濯兼脱水槽２５またはパルセータ２６を駆動する。排水弁３１は洗濯兼脱水槽２５内の洗濯水を排水し、給水弁３２は洗濯兼脱水槽２５内に給水するものである。また、水受け槽２７は筐体３３にサスペンション３４によって防振支持されている。環状の流体バランサー３５は洗濯兼脱水槽２５の上部に設け、脱水時の振動を低減するものである。
【０００４】
洗濯兼脱水槽２５の内面には、循環水路カバー３７と洗濯兼脱水槽２５とで循環リント水路３８を形成している（例えば、特許文献１）。
【０００５】
上記構成において動作を説明する。使用者は、洗濯兼脱水槽２５に洗濯物を投入した後、洗剤投入用カバー４０を開き、洗剤を投入する。洗剤は洗濯兼脱水槽２５と循環水路カバー３７の間のポンプ室５２に落ちる。その後、洗濯を開始すると、制御装置３６により給水弁３２を制御して洗濯兼脱水槽２５内に所定の水が給水される。その後、制御装置３６により制御されたモータ２８の回転に応じて、洗濯兼脱水槽２５が回転し、ポンプ室４２の間に落ちた洗剤が溶解される。さらに給水が進み、パルセータ２６が駆動することによりポンプ室４２に投入された洗剤は、下側羽根４１の回転の機械力により、外側に押し出され、ポンプ室４２から循環リント水路３８を上昇する。このようにして洗濯兼脱水槽２５の中の洗濯物と洗濯液が撹拌され、洗濯物が洗浄される。
【先行技術文献】
【特許文献】
【０００６】
【特許文献１】特開昭６３−１１７７９８号公報
【発明の概要】
【発明が解決しようとする課題】
【０００７】
しかしながら、従来の構成では、洗剤が完全に溶解されないうちにリントフィルタ３９にまで洗濯液が達してしまうと、リントフィルタ３９のフィルターメッシュに洗剤が残ったり、洗剤により目詰まりを起こしたりするという課題を有していた。また、リントフィルタ３９の洗剤を溶かすために、洗い工程の前にリントフィルタ３９にまで洗濯液を上げないようにパルセータ２６を回転させる洗剤溶解工程を行なわなければならないという課題を有していた。
【０００８】
本発明は上記従来の課題を解決するもので、洗濯物を収容する洗濯兼脱水槽を水受け槽に回転自在に収容し、洗濯兼脱水槽を駆動手段により回転駆動するよう構成し、循環水路カバーに洗剤投入用カバーを開閉自在に設けており、洗剤投入用カバーを開いて、洗剤を循環水路カバーを介して、洗濯兼脱水槽の外周に投入できるようにしている洗濯機である。
【０００９】
これにより、洗濯兼脱水槽の回転によって水と洗剤を溶解させることで、通常の洗濯水位よりも低い水位で洗剤を溶かすことができ、洗剤を溶かすために洗い工程の前に行う洗剤溶解工程を省略するとともに、洗剤の溶け残りを防止し、濃度の高い洗濯液を洗濯物全体に注いで、洗浄性能を向上することを目的としている。
【課題を解決するための手段】
【００１０】
本発明は上記目的を達成するために、中央底部にパルセータを回転自在に配設した洗濯兼脱水槽の内面に、洗濯兼脱水槽と循環水路カバーで循環水路を形成し、循環水路カバーの途中に洗剤投入用カバーを開閉自在に設け、洗剤投入用カバーを開いて、洗剤を循環水路カバーを介して、洗濯兼脱水槽の外周に投入できるように構成したものである。
【００１１】
これにより、洗剤を溶かすために洗い工程の前に行う洗剤溶解工程を省略できるとともに、洗剤の溶け残りを防止し、濃度の高い洗濯液を洗濯物全体に注いで、洗浄性能を向上することができる。
【発明の効果】
【００１２】
以上のように、本発明によれば、洗剤を溶かすために洗い工程の前に行う洗剤溶解工程を省略できるとともに、洗剤の溶け残りを防止し、濃度の高い洗濯液を洗濯物全体に注いで、洗浄性能を向上することができる。
【図面の簡単な説明】
【００１３】
【図１】本発明の実施の形態１における洗濯機の縦断面図
【図２】同洗濯機の洗濯兼脱水槽の縦断面図
【図３】同洗濯機の洗剤投入用カバーを開いた状態の要部斜視図
【図４】同洗濯機の洗剤投入用カバーを逆に取り付けた状態の要部斜視図
【図５】同洗濯機の洗剤投入用カバーの開閉動作を示す縦断面図
【図６】同洗濯機の循環水路カバーの要部斜視図
【図７】同洗濯機の洗濯兼脱水槽の斜視図
【図８】従来の洗濯機の縦断面図
【発明を実施するための形態】
【００１４】
本発明は、中央底部にパルセータを回転自在に配設し、側面に開口部を有する洗濯兼脱水槽と、前記洗濯兼脱水槽を収容する水受け槽と、前記洗濯兼脱水槽の内面に洗濯兼脱水槽および循環水路カバーにより形成された循環水路と、前記循環水路に開閉自在に設けられた洗剤投入部とを備え、前記開口部は、前記洗濯兼脱水槽の接合部を避けた位置に複数構成されたものである。
【００１５】
これにより、洗濯兼脱水槽の接合部を循環水路により隠すことができ、見栄えを向上させることができる。また、洗濯兼脱水槽の外側に洗剤を供給するような場合であっても、接合部を避けた位置に複数の開口部を設けることにより、見栄えのよい構成とすることができる。また、循環水路の洗剤を溶かすために洗い工程の前に行う洗剤溶解工程を省略でき、洗濯時間を短縮することができる。また、洗剤溶解工程はリントフィルタにまで洗濯液を上げないようにパルセータの回転を制限していたが、リントフィルタに洗剤が溶け残るような心配がないので、パルセータの回転を制限せずにすみ、洗浄性能を向上させることができる。また、少ない水量であっても、洗剤の溶け残りを防止しつつ、濃度の高い洗濯液を洗濯物全体に注ぐことができるので、洗浄性能を向上させることができる。
【００１６】
また、本発明の前記開口部の端面には、リブが設けられたものである。これにより、使用者が開口部２４に触れるようなことがあった場合にも、リブによって、端面エッジか覆われているために怪我をすることを防ぐことができる。
【００１７】
また、本発明の前記洗剤投入部は着脱自在に構成され、前記洗剤投入部を前記循環水路に装着するときに、誤挿入を防止する干渉部を循環水路に設けたものである。これにより、使用者が上下逆に洗剤投入用カバーを装着した場合にも、干渉部により使用者に上下逆であることを認識させて、使用勝手を向上させている。
【００１８】
（実施の形態１）
以下、本発明の一実施例について、図面を参照しながら説明する。
【００１９】
図１は、本発明の実施の形態１における洗濯機の縦断面図、図２は、本発明の実施の形態１における洗濯機の洗濯兼脱水槽の縦断面、図３は、洗濯機の洗剤投入用カバーを開いた状態の要部斜視図、図４は、本発明の実施の形態１における洗濯機の洗剤投入用カバーを逆に取り付けた状態の要部斜視図、図５は、本発明の実施の形態１における洗濯機の洗剤投入用カバーの開閉動作を示す縦断面図、図６は、本発明の実施の形態１における洗濯機の循環水路の斜視図、図７は、本発明の実施の形態１における洗濯機の洗濯兼脱水槽の斜視図である。
【００２０】
図１に示すように、金属からなる洗濯兼脱水槽１は、上部に開口部を有し、中央底部にパルセータ２を回転自在に配設している。水受け槽３は、洗濯兼脱水槽１の外側に設けて、洗濯兼脱水槽１を収容している。モータ４は、ベルト５および減速機構兼クラッチ６を介して、洗濯兼脱水槽１またはパルセータ２を回転駆動する。排水弁７は洗濯兼脱水槽１内の洗濯水を排水し、給水弁８は洗濯兼脱水槽１内に給水するものである。また、水受け槽３は筐体９にサスペンション１０によって防振支持されている。環状の流体バランサ１１は洗濯兼脱水槽１の上部に設けられており、脱水時など、洗濯兼脱水槽が回転したときの振動を低減するものである。
【００２１】
制御装置１２は、モータ４、排水弁７、給水弁８などを制御して、洗い、すすぎ、脱水の一連の工程を逐次制御するものである。
【００２２】
洗濯兼脱水槽１の内面の、流体バランサ１１の下方には、循環水路カバー１３と洗濯兼脱水槽１とで循環水路１４を形成している。循環水路カバー１３の途中に洗剤投入用カバー１５（洗剤投入部）を開閉自在に設けている。洗剤投入用カバー１５は複数設けられており、本実施の形態においては、２個設けられている。また、洗剤投入用カバー１５は、洗濯兼脱水槽１の接合部を覆うように設けられておいる。循環水路カバー１３および洗剤投入用カバー１５によって、洗濯兼脱水槽１の接合部が使用者から見えないように構成することにより、見栄えのよいものとしている。
【００２３】
図３に示すように、洗剤投入用カバー１５の下部に対向する洗濯兼脱水槽の側壁には、複数の開口部２４が設けられている。開口部２４は洗濯兼脱水槽１の接合部をまたぐように接合部を避けて開口部２４ａ、２４ｂに分割して設けられている。洗剤投入用カバー１５は、軸受け部１６に軸１７が装着されて、軸１７を中心に回動する。
【００２４】
洗剤投入用カバー１５は、着脱自在に構成されている。図３に示すように、循環水路カバー１３には、突起部２６が形成されている。突起部２６（干渉部）より、取り外し自在な洗剤投入用カバー１５を再装着する際、使用者が上下逆に洗剤投入用カバー１５を装着した場合にも（図４）、突起部２６が干渉するために逆挿入を防止する。このようにして、使用者に上下逆であることを認識させて、使用勝手を向上させている。なお、突起部２６は、循環水路カバー１３に設けることとしたが、これに限られず、洗剤投入用カバー１５に設けられていてもよい。
【００２５】
また、洗剤投入用カバー１５には、開口部２４の端面を覆い隠すようなリブ２０が設けられている。リブ２０は洗剤投入用カバー１５から洗剤を投入するときに洗剤がこぼれ落ちないよう洗剤を誘導することを目的としている。
【００２６】
図５に示すように、開成時には、洗剤投入用カバー１５の端部が、洗濯兼脱水槽１および水受け槽３により形成される空間に突出するように構成されている。これにより、洗剤投入用カバー１５を開成して洗剤を投入した際には、洗濯兼脱水槽１より外側に洗剤を供給することができる。
【００２７】
また、図６、７に示すように、洗剤投入用カバー１５の開口部２４には洗濯兼脱水槽の端面を覆い隠すようなリブ２５が設けられている。リブ２５は洗剤投入用カバー１５から洗剤を投入するときに端面エッジに手が触れて怪我をするのを防止することを目的としている。
【００２８】
上記構成において、以下、動作を説明する。
【００２９】
使用者が洗濯兼脱水槽１に洗濯物を投入した後、洗剤投入用カバー１５を開く。開成時、洗剤投入用カバー１５は、水平よりもやや上向きに傾斜している。使用者が洗剤を洗剤投入用カバー１５の洗剤受け面１５ａに置く。このとき、使用者が開口部２４に触れるようなことがあった場合にも、リブ２５によって、端面エッジか覆われているために怪我をすることを防ぐことができる。
【００３０】
投入された洗剤は、洗剤投入用カバー１５は洗濯兼脱水槽１の外周側に連通しているので、洗濯兼脱水槽１と、水受け槽３とで形成される空間に供給される。また、使用者が洗剤投入用カバー１５を閉めると、一部、洗剤投入用カバー１５の洗剤受け面１５ａ上に残った洗剤は、さらに傾斜がついた洗剤投入用カバー１５から、下方に落ちる。
【００３１】
その後、洗濯を開始すると、制御装置１２により給水弁８を制御して洗濯兼脱水槽１内に所定の水が給水される。制御装置１２により制御されたモータ４の回転に応じて、洗濯兼脱水槽が回転する。このとき、洗濯兼脱水槽１と水受け槽３の間の洗剤は回転する洗濯兼脱水槽１の水の勢いによって溶解される。
【００３２】
このように、構成したことにより、洗剤を初期に水と混ぜ合わせてしまうことにより、洗剤を溶かすために洗い工程の前に行う洗剤溶解工程を省略できる。また、洗剤溶解工程はリントフィルタにまで洗濯液を上げないようにパルセータの回転を制限していたが、リントフィルタに洗剤が溶け残るような心配がないので、パルセータの回転を制限せずにすみ、洗浄性能を向上させることができる。また、少ない水量であっても洗剤の溶け残りを防止しつつ、濃度の高い洗濯液を洗濯物全体に注ぐことができるので、洗浄性能を向上させることができる洗剤の溶け残りを防止し、洗浄性能を向上することができる。
【００３３】
また、洗剤投入用カバー１５に設けられたリブ２０より、洗剤投入用カバー１５を閉めると、洗剤は洗濯兼脱水槽１と水受け槽３の間に落ちる。このときリブ２０は開閉動作時に循環水路カバー１３の開口部２４へ洗剤が円滑に流れ出るように誘導するため、開閉動作時に洗濯兼脱水槽１内へ洗剤がこぼれ落ちるのを防止することができる。
【産業上の利用可能性】
【００３４】
本発明は、洗濯兼脱水槽の接合部を避けた位置に複数の洗剤投入するための開口部を設けているので、家庭用の洗濯機や洗濯乾燥機として有用である。
【符号の説明】
【００３５】
１  洗濯兼脱水槽
２  パルセータ
１３  循環水路カバー
１４  循環水路
１５  洗剤投入用カバー
２２  吐出口
２４  開口部
２６  突起部（干渉部）
【図１】
2013240408.tif 000003
【図２】
2013240408.tif 000004
【図３】
2013240408.tif 000005
【図４】
2013240408.tif 000006
【図５】
2013240408.tif 000007
【図６】
2013240408.tif 000008
【図７】
2013240408.tif 000009
【図８】
2013240408.tif 000010